(57)【要約】【課題】  安全注射器の提供。【解決手段】  プランジャーが押圧されて外筒内で前進してホルダ支持シートを前進させる時に該シール手段の接合部が前進してニードルホルダと嵌合してニードルホルダを保持し、これによりホルダ支持シートがニードルホルダより分離し、プランジャー内に形成される負圧により外筒内で結合後のシール手段とニードルユニットが自動的に後退する。【選択図】        図８
2004188199.tif 000002
【特許請求の範囲】
【請求項１】
前端開口を具えた前端と後端開口を具えた後端とを具えた外筒と、
該外筒内に移動可能に配置され、前端と、外筒の後端開口より延伸された後端とを具えたプランジャーと、
該外筒の前端開口を通り延伸され、貫通する中央の孔と、後端開孔を具えたニードルホルダと、該ニードルホルダに後端が固定されて外筒の前端開口より外部に突出するニードルとを具えたニードルユニットと、
を具えた安全注射器であり、
該外筒の内側に、環状のフレキシブルなホルダ支持シートが褶動可能に配置され、該ホルダ支持シートが該ニードルホルダに嵌合し、該ホルダ支持シートが中央の貫通孔と、外筒の内周との間にシールを形成可能な外周と、該ニードルホルダの外周とシールを形成可能な内周とを具え、
該プランジャーが前端の開口を具えた開放状の前端と、後端壁とを具え、該プランジャーの前端内周に、内側に延伸された収斂部が形成され、
フレキシブルなシール手段が褶動可能にプランジャーの前端部分内に配置されて真空チャンバをプランジャーの後端壁との間に画定し、該収斂部がシール手段外周を保持してシール手段のプランジャーに関する移動を防止して、これにより外筒に関してプランジャーが後方に引っ張られる時にシール手段がプランジャーと一体に移動し、該シール手段がニードルホルダを保持可能でニードルホルダより離れて設置された接合部と、該プランジャーの前端穿孔をシールする後端部を具え、
該ニードルユニットはニードルホルダとニードルの間に形成されて外筒の前端開口に進入不能であるスペーサ部分を具え、ニードルホルダが外筒の前端開口より所定の距離離れた位置でホルダ支持シートに保持され、
該プランジャーが押圧されて外筒内で前進してホルダ支持シートを前進させる時に該シール手段の接合部が前進してニードルホルダを保持し、これによりホルダ支持シートがニードルホルダより分離し、プランジャー内に形成される負圧により外筒内で結合後のシール手段とニードルユニットが自動的に後退することを特徴とする、安全注射器。
【請求項２】
請求項１記載の安全注射器において、ニードルユニットがフランジを具え、該フランジは本体の後端より外向きに延伸されてホルダ支持シートの貫通孔に進入不能なサイズに形成され、シール手段の接合部は、盲孔を具えた錐状体とされ、該錐状体の前端が円形とされて該ニードルユニットのフランジを該盲孔に導入し、該盲孔の前端内径がニードルユニットのフランジ外径より小さく、ニードルユニットのフランジが該盲孔に進入する時にそれを挟持することを特徴とする、安全注射器。
【請求項３】
請求項２記載の安全注射器において、シール手段の接合部に形成された盲孔内に、曲面を呈する突起が形成され、該突起はシール手段の盲孔にニードルユニットのフランジが結合された時、ニードルホルダの後端の開孔をシールすることを特徴とする、安全注射器。
【請求項４】
請求項１記載の安全注射器において、プランジャーが後端穿孔を具えた筒体を具え、シール手段が該プランジャーの筒体内に配置されて突出し、該プランジャーの後端に外部に突出するフランジが形成されたキャップがプランジャーより抜き取り可能に挿入されたことを特徴とする、安全注射器。
【請求項５】
請求項１記載の安全注射器において、ホルダ支持シートが中空筒状に形成され、外筒内壁と摩擦を形成するように接触する外周と、ニードルユニットの、ニードルホルダの開孔より僅かに大きい後端の孔を具えた後端外周を挟持可能な環状の後端壁を具え、シール手段の前端の接合部が固定されたフレキシブルな挿入手段を具え、該挿入手段がニードルホルダの後端の孔に係合することで、ニードルホルダがシール手段に保持されることを特徴とする、安全注射器。
【請求項６】
前端開口を具えた前端と後端開口を具えた後端とを具えた外筒と、
該外筒内に移動可能に配置され、前端と、外筒の後端開口より延伸された後端とを具え、該前端の内側に収斂部が形成されたプランジャーと、
該外筒の前端開口を通り延伸され、貫通する中央の孔と、後端開孔を具えたニードルホルダと、該ニードルホルダに後端が固定されて外筒の前端開口より外部に突出するニードルとを具えたニードルユニットと、
該外筒の前端近くの内側に配置されたフレキシブルなホルダ支持シートと、
該プランジャーの前端に緊密に配置されてプランジャー内にあってプランジャー後端との間に真空チャンバを画定し、該ニードルホルダより離れた前端の接合部を具えたシール手段と、
を具え、外筒にあってプランジャーが押圧されて前進し、ホルダ支持シートを前方に押圧するとき、シール手段の接合部がニードルホルダと結合し、ホルダ支持シートがニードルホルダより分離し、シール手段と結合されたニードルユニットが、プランジャー内に形成された負圧により自動的に外筒内に後退するよう形成されたことを特徴とする、安全注射器。
【請求項７】
請求項６記載の安全注射器において、ニードルユニットはニードルホルダとニードルの間に形成されて外筒の前端開口に進入不能であるスペーサ部分を具え、ニードルホルダが外筒の前端開口より所定の距離離れた位置でホルダ支持シートに保持されることを特徴とする、安全注射器。
【請求項８】
請求項６記載の安全注射器において、プランジャーがフレキシブルなシールリングを具え、該シールリングがプランジャーの前端外周に嵌合されてプランジャーと外筒の間のシールを形成することを特徴とする、安全注射器。
【請求項９】
請求項６記載の安全注射器において、ホルダ支持シートが中央を貫通する貫通孔と、外筒内壁とシールを形成する外周と、ニードルホルダ外周とシールを形成する内周とを具えたことを特徴とする、安全注射器。
【請求項１０】
請求項６記載の安全注射器において、ニードルユニットが、ニードルホルダより外向きに延伸されたフランジを具え、シール手段の前端の接合部が前向き内向きに延伸された環状フランジを具えて盲孔を画定し、該環状フランジが円形の前端を具えてニードルホルダのフランジの盲孔内への進入を案内し、該盲孔の前端がニードルユニットのフランジより僅かに小さいサイズとされて盲孔内に進入した該フランジを該盲孔内に制限することを特徴とする、安全注射器。
【請求項１１】
請求項６記載の安全注射器において、ニードルユニットが、ホルダ支持シートが中空円筒状に形成され、外筒内壁と摩擦を形成するように接触する外周と、ニードルユニットのニードルホルダの後端外周を挟持可能な環状後端壁を具え、ニードルユニットの中央孔がニードルホルダ後端にあってニードルホルダの後端開口よりサイズを大きく拡張した孔部分を具え、シール手段の前端の接合部が固定された挿入手段を具え、プランジャーが前進する時、該挿入手段が該拡張した孔部分内に緊密に嵌合し、これによりシール手段にニードルホルダが結合されることを特徴とする、安全注射器。
【発明の詳細な説明】
【技術分野】
【０００１】
本発明は安全注射器に係り、特に薬剤注射完成後に、ニードルが低圧で吸引されて迅速にプランジャー内に回収される安全注射器に関する。
【背景技術】
【０００２】
図１に示されるように、周知の注射器７は、表面に目盛りを具えて薬剤を収容する外筒７２を具え、該外筒７２の前端に前端開口があり、ニードルホルダ７３０内に雌ネジ（図示せず）が形成されたニードルユニット７３が、外筒７２の前端より螺合され、ニードル７３１の後端がニードルホルダ７３０内に挿通され、ニードル７３１の前端が外筒７２より前方に露出させられている。外筒７２の後端には後端開口７２４が形成され、フレキシブルなゴムストッパ７４３が前端に組み付けられたプランジャー７４が外筒７２の後端開口７２４より挿入され、ストッパ７４３の外径が外筒７２の後端開口７２４と外筒内径より僅かに大きく、後方より前向きにプランジャー７４が外筒７２内に押し込まれる時、ストッパ７４３が完全に外筒７２の後端開口７２４を封じ、外筒７２内に吸入された薬剤をニードル７３１の前端より押し出すことができる。
【０００３】
注射完了後に、看護士はニードルキャップを注射器７の前端よりニードル７３１に被せなければならず、不注意からニードル７３１とニードルキャップの位置がずれると、刺し傷を負うことがあり、さらにニードル７３１は既に患者の血液に接触しているため、刺し傷を負った看護士が、エイズ、Ｂ型肝炎等のウイルス感染型の疾病に感染される恐れがある。
【０００４】
この問題を解決するため、医療器材業者は安全注射器を提供している。それは看護士が注射を終えた後に、安全にニードルを収拾でき、ニードルで突き刺される危険を排除したものである。図２、３は特許文献１に記載の安全注射器８であり、その外筒８２の前端内に挟持具８２４が嵌め込まれ、ニードルホルダ８３０を挟持し、シール８５がその面取りした環状リブ８５０で筒状のプランジャー８４の前端に係止され、並びにバネ８６により後ろ向きに引っ張られている。操作者は注射完成後、続けて、力を入れてプランジャー８４を前進させて、外筒８２前端の挟持具８２４を押し開き、ニードルホルダ８３０とニードル８３１を釈放させると、環状リブ８５０も破壊されてシール８５がバネ８６の引っ張りを受けて後退し、ニードルユニット８３を伴い共にプランジャー８４中に縮入する。
【０００５】
しかし、１ｃｃ或いは２ｃｃ容量の注射器の場合、直径が僅かに数ミリの外筒８２内にあって、外筒に沿って挟持具８２４を後ろ側より傾かないように前端まで押し込み、並びに正確な角度で正確な位置に設置しなければならない。直径が外筒より更に小さいプランジャ８４中には、後方より前方に、バネ８６を挿入し、後端をプランジャー８４の後端底部に固定し、並びに該バネ８６を引き伸ばして前端をシール８５に固定しなければならない。このような複雑で且つ精密な組立過程のために注射器の価格は高くなり、実際の市場の価格要求に符合しなくなる。
【０００６】
【特許文献１】米国特許第５，３９５，３３７号明細書
【発明の開示】
【発明が解決しようとする課題】
【０００７】
本発明の主要な目的は、プランジャー内部の低圧吸引作用により、ニードルユニットを自動的に迅速にプランジャー中に収容できる安全注射器を提供することにある。
【０００８】
本発明のもう一つの目的は、構造が簡単で且つ操作に便利であり、有効に操作者がニードルによる刺し傷により感染するのを防止できる安全注射器を提供することにある。
【課題を解決するための手段】
【０００９】
請求項１の発明は、前端開口を具えた前端と後端開口を具えた後端とを具えた外筒と、  該外筒内に移動可能に配置され、前端と、外筒の後端開口より延伸された後端とを具えたプランジャーと、
該外筒の前端開口を通り延伸され、貫通する中央の孔と、後端開孔を具えたニードルホルダと、該ニードルホルダに後端が固定されて外筒の前端開口より外部に突出するニードルとを具えたニードルユニットと、
を具えた安全注射器であり、
該外筒の内側に、環状のフレキシブルなホルダ支持シートが褶動可能に配置され、該ホルダ支持シートが該ニードルホルダに嵌合し、該ホルダ支持シートが中央の貫通孔と、外筒の内周との間にシールを形成可能な外周と、該ニードルホルダの外周とシールを形成可能な内周とを具え、
該プランジャーが前端の開口を具えた開放状の前端と、後端壁とを具え、該プランジャーの前端内周に、内側に延伸された収斂部が形成され、
フレキシブルなシール手段が褶動可能にプランジャーの前端部分内に配置されて真空チャンバをプランジャーの後端壁との間に画定し、該収斂部がシール手段外周を保持してシール手段のプランジャーに関する移動を防止して、これにより外筒に関してプランジャーが後方に引っ張られる時にシール手段がプランジャーと一体に移動し、該シール手段がニードルホルダを保持可能でニードルホルダより離れて設置された接合部と、該プランジャーの前端穿孔をシールする後端部を具え、
該ニードルユニットはニードルホルダとニードルの間に形成されて外筒の前端開口に進入不能であるスペーサ部分を具え、ニードルホルダが外筒の前端開口より所定の距離離れた位置でホルダ支持シートに保持され、
該プランジャーが押圧されて外筒内で前進してホルダ支持シートを前進させる時に該シール手段の接合部が前進してニードルホルダを保持し、これによりホルダ支持シートがニードルホルダより分離し、プランジャー内に形成される負圧により外筒内で結合後のシール手段とニードルユニットが自動的に後退することを特徴とする、安全注射器としている。
請求項２の発明は、請求項１記載の安全注射器において、ニードルユニットがフランジを具え、該フランジは本体の後端より外向きに延伸されてホルダ支持シートの貫通孔に進入不能なサイズに形成され、シール手段の接合部は、盲孔を具えた錐状体とされ、該錐状体の前端が円形とされて該ニードルユニットのフランジを該盲孔に導入し、該盲孔の前端内径がニードルユニットのフランジ外径より小さく、ニードルユニットのフランジが該盲孔に進入する時にそれを挟持することを特徴とする、安全注射器としている。
請求項３の発明は、請求項２記載の安全注射器において、シール手段の接合部に形成された盲孔内に、曲面を呈する突起が形成され、該突起はシール手段の盲孔にニードルユニットのフランジが結合された時、ニードルホルダの後端の開孔をシールすることを特徴とする、安全注射器としている。
請求項４の発明は、請求項１記載の安全注射器において、プランジャーが後端穿孔を具えた筒体を具え、シール手段が該プランジャーの筒体内に配置されて突出し、該プランジャーの後端に外部に突出するフランジが形成されたキャップがプランジャーより抜き取り可能に挿入されたことを特徴とする、安全注射器としている。
請求項５の発明は、請求項１記載の安全注射器において、ホルダ支持シートが中空筒状に形成され、外筒内壁と摩擦を形成するように接触する外周と、ニードルユニットの、ニードルホルダの開孔より僅かに大きい後端の孔を具えた後端外周を挟持可能な環状の後端壁を具え、シール手段の前端の接合部が固定されたフレキシブルな挿入手段を具え、該挿入手段がニードルホルダの後端の孔に係合することで、ニードルホルダがシール手段に保持されることを特徴とする、安全注射器としている。
請求項６の発明は、前端開口を具えた前端と後端開口を具えた後端とを具えた外筒と、  該外筒内に移動可能に配置され、前端と、外筒の後端開口より延伸された後端とを具え、該前端の内側に収斂部が形成されたプランジャーと、
該外筒の前端開口を通り延伸され、貫通する中央の孔と、後端開孔を具えたニードルホルダと、該ニードルホルダに後端が固定されて外筒の前端開口より外部に突出するニードルとを具えたニードルユニットと、
該外筒の前端近くの内側に配置されたフレキシブルなホルダ支持シートと、
該プランジャーの前端に緊密に配置されてプランジャー内にあってプランジャー後端との間に真空チャンバを画定し、該ニードルホルダより離れた前端の接合部を具えたシール手段と、
を具え、外筒にあってプランジャーが押圧されて前進し、ホルダ支持シートを前方に押圧するとき、シール手段の接合部がニードルホルダと結合し、ホルダ支持シートがニードルホルダより分離し、シール手段と結合されたニードルユニットが、プランジャー内に形成された負圧により自動的に外筒内に後退するよう形成されたことを特徴とする、安全注射器としている。
請求項７の発明は、請求項６記載の安全注射器において、ニードルユニットはニードルホルダとニードルの間に形成されて外筒の前端開口に進入不能であるスペーサ部分を具え、ニードルホルダが外筒の前端開口より所定の距離離れた位置でホルダ支持シートに保持されることを特徴とする、安全注射器としている。
請求項８の発明は、請求項６記載の安全注射器において、プランジャーがフレキシブルなシールリングを具え、該シールリングがプランジャーの前端外周に嵌合されてプランジャーと外筒の間のシールを形成することを特徴とする、安全注射器としている。
請求項９の発明は、請求項６記載の安全注射器において、ホルダ支持シートが中央を貫通する貫通孔と、外筒内壁とシールを形成する外周と、ニードルホルダ外周とシールを形成する内周とを具えたことを特徴とする、安全注射器としている。
請求項１０の発明は、請求項６記載の安全注射器において、ニードルユニットが、ニードルホルダより外向きに延伸されたフランジを具え、シール手段の前端の接合部が前向き内向きに延伸された環状フランジを具えて盲孔を画定し、該環状フランジが円形の前端を具えてニードルホルダのフランジの盲孔内への進入を案内し、該盲孔の前端がニードルユニットのフランジより僅かに小さいサイズとされて盲孔内に進入した該フランジを該盲孔内に制限することを特徴とする、安全注射器としている。
請求項１１の発明は、請求項６記載の安全注射器において、ニードルユニットが、ホルダ支持シートが中空円筒状に形成され、外筒内壁と摩擦を形成するように接触する外周と、ニードルユニットのニードルホルダの後端外周を挟持可能な環状後端壁を具え、ニードルユニットの中央孔がニードルホルダ後端にあってニードルホルダの後端開口よりサイズを大きく拡張した孔部分を具え、シール手段の前端の接合部が固定された挿入手段を具え、プランジャーが前進する時、該挿入手段が該拡張した孔部分内に緊密に嵌合し、これによりシール手段にニードルホルダが結合されることを特徴とする、安全注射器としている。
【発明の効果】
【００１０】
本発明は、プランジャー内部の低圧吸引作用により、ニードルユニットを自動的に迅速にプランジャー中に収容できる安全注射器を提供している。
【００１１】
本発明は、構造が簡単で且つ操作に便利であり、有効に操作者がニードルによる刺し傷により感染するのを防止できる安全注射器を提供している。
【発明を実施するための最良の形態】
【００１２】
本発明の安全注射器は、前端と後端を具えた外筒と、前端と後端を具えたプランジャーと、ニードルユニットを具え、該外筒の該外筒の二端間は中空の筒体とされ、該外筒の前端と後端にそれぞれ外筒本体と連通する開口が設けられ、前端開口の面積が後端開口の面積より小さく、該ニードルユニットは離脱可能に外筒の前端開口の壁面に組み付けられ、並びに該ニードルユニットが、開孔を具えた後端の中空のニードルホルダと、該ニードルホルダに挿通されて一端が外筒前端より露出したニードルとを具え、該ニードルホルダは本体と、該本体の前端に形成されて直径が該本体より小さい前段とを具え、この前段の外径が外筒体前端開口に対応する、安全注射器において、
該外筒内に該外筒の前端と間隔を保持するように係止されたフレキシブルなホルダ支持シートが設けられ、該ホルダ支持シートに前後方向に内径が該ニードルホルダ本体外径よりやや小さい貫通孔が形成され、該本体が該ホルダ支持シートに緊迫設置され、該ニードルホルダの前段が外筒の前端開口の形成された内壁面に係止され、
該プランジャーは前端と後端を具え、その前端に面積がニードルホルダの穿孔より大きい穿孔が形成され、該プランジャーの前端と後端の間が中空の筒体とされ、且つ該プランジャーの前端近くの内壁面に径方向の収斂部が形成され、該プランジャーが外筒の後端開口より外筒の筒体に挿入され、並びにプランジャーの前端が該ホルダ支持シートに接近する位置と、プランジャー前端が該ホルダ支持シートより離れた位置との間でスライド可能とされ、
フレキシブルなシール手段が設けられ、それは、外径が前記径方向の収斂部の内径よりも大きいプラグ部、及び該プラグ部の前端より延伸された接合部を具え、該シール手段が緊迫式にプランジャーの径方向の収斂部に組み合わされてプランジャー前端穿孔を封じ、該プランジャーの筒体内に外部より低い気圧が形成され、該プランジャーの前端がホルダ支持シートに所定の距離まで接近する時、該接合部がニードルホルダに接合され、該プランジャーがホルダ支持シートを押圧してニードルホルダとホルダ支持シート間の結合を開放し、且つシール手段がニードルホルダの反作用力を受けて駆動され、シール手段とプランジャーの結合が解除されてニードルユニットを外筒内に吸引する負圧を提供することを特徴としている。
【実施例１】
【００１３】
図４及び図７に示されるように、本発明の第１実施例の安全注射器１は、外筒２、該外筒２の前端に組み付けられたニードルユニット３、該外筒２内に抜去可能に組み合わされたプランジャー４、及び該プランジャー４前端をシールするフレキシブルなシール手段５を具えている。
【００１４】
外筒２は中空の筒体２０を具え、該筒体２０の前端２１と後端２２に筒体２０内と連通する開口（前端開口２１０及び後端開口２２０）がそれぞれ設けられ、後端開口２２０の断面積は僅かにプランジャー４より大きく、プランジャー４がこれにより外筒２内に挿入可能とされ、前端開口２１０の断面積は後端開口２２０、筒体２０内径及びプランジャー４の断面積のいずれと較べても小さい。外筒２の内壁面の内径と後端開口２２０は等しく、該内径よりも僅かに大きい外径を具えたフレキシブルなホルダ支持シート２４が外筒２の後端開口２２０より押し込まれて外筒２の筒体２０内に係止され、外筒２の前端との間に所定の距離を保持し、ホルダ支持シート２４に前後方向の貫通孔２４０が形成されている。
【００１５】
ニードルユニット３は中空のニードルホルダ３０と該ニードルホルダ３０に挿通されたニードル３１を具え、該ニードルユニット３は離脱可能に外筒２のホルダ支持シート２４部分に組み合わされ、ニードル３１前端は外筒２の前端開口２１０より突出している。
【００１６】
プランジャー４は、外筒２と同じ方向に延伸された中空筒体４０を具え、該筒体４０の前端４１に断面積がニードルホルダ３０より大きい穿孔４１０が形成され、並びにシール手段５が該穿孔４１０の内壁部分に設置されてプランジャー４の筒体４０に閉じた空間を形成させている。薬剤を吸入する時、プランジャー４は外筒２の筒体２０内で、プランジャー４の前端４１がホルダ支持シート２４に接近した位置からホルダ支持シート２４から離れた位置へと後ろに引っ張られてスライドする。注射時には、プランジャー４の後端４２が押圧されることで、プランジャー４が外筒２のホルダ支持シート２４に接近する位置にスライドしてプランジャー４の前端４１とホルダ支持シート２４間の距離が縮減され薬剤が押し出される。プランジャー４の外筒２内で進退する時の気密状態を保持するため、プランジャー４前端４１の筒体４０外側にはフレキシブルなシールリング４３が嵌合される。
【００１７】
本実施例のニードルホルダ３０の外筒２のホルダ支持シート２４との結合構造は図５に示されるようであり、ニードルホルダ３０は前から後ろに直径の大きさにより三段に分けられている。即ち、外径が外筒２の前端開口２１０の内径に対応する前段３０１、外径が該外筒２の前端開口２１０の内径より僅かに大きいホルダ本体３０２、及び、外径がホルダ本体３０２よりも大きいフランジ３０３を具え、ニードルホルダ３０の後端に開孔３００が形成されている。ホルダ支持シート２４には内径がニードルホルダ３０のホルダ本体３０２よりも僅かに小さい貫通孔２４０が設けられ、ホルダ支持シート２４の後側に貫通孔２４０の壁面に沿って斜面２４１が形成されている。これにより、ニードルホルダ３０が外筒２の後端開口２２０より筒体２０を通りホルダ支持シート２４の貫通孔２４０に挿通される時、ホルダ本体３０２の外表面がホルダ支持シート２４の貫通孔２４０の壁面に径方向に圧迫挟持され、これによりニードルホルダ３０がホルダ支持シート２４部分に固定される。この時、ニードルホルダ３０の前段３０１も対応する外筒２の前端開口２１０内に嵌合され、フランジ３０３はホルダ支持シート２４の貫通孔２４０に進入は不能であるが、ホルダ支持シート２４の斜面２４１内に収納される。
【００１８】
本実施例中、シール手段５とプランジャー４の結合は、図６に示されるようであり、プランジャー４内壁面に前端より後方に向けて所定距離延伸された収斂部４４が形成され、且つ本実施例では、プランジャー４後端４２に穿孔４２０が形成され、プランジャー４が後端の該穿孔４２０を封じるキャップ４５を具えている。キャップ４５は基板４５２と、該基板４５２より延伸され、且つプランジャー４の筒体４０に進入可能な頸部４５１とを具え、頸部４５１の外径はプランジャー４の後端４２の穿孔４２０の内径よりやや大きい。シール手段５はプラグ部５２と、該プラグ部５２の前端より前向きに所定の距離延伸された接合部５１を具え、本実施例中、プラグ部５２より後ろ向きに延伸された碗状の気密部５３を具えている。シール手段５のプラグ部５２の外径はプランジャー４の後端の穿孔４２０より小さく、後端の穿孔４２０を通過して筒体４０に進入可能で、プラグ部５２の外径はまたプランジャー４の収斂部４４の内径より僅かに大きく、これにょりシール手段５がプランジャー４の筒体内で前進させられ前端４１に接近させられ、プラグ部５２がプランジャー４の収斂部４４により圧迫挟持され、シール手段５がこあれによりプランジャー４の前端４１に近い位置に固定され、プランジャー４の前端の穿孔４１０を封じる。その後、その後、プランジャー４の筒体４０が減圧され、その内部に外界気圧より低い低圧状態が形成され、気密用のキャップ４５がプランジャー４の後端の穿孔４２０を閉じる。プランジャー４の前端の外壁にはフレキシブルなシールリング４３が嵌合され、該シールリング４３の外径はプランジャー４の筒体４０の内径より僅かに大きい。
【００１９】
シール手段５の接合部５１は中空錐状にプラグ部５２より前向きに延伸されて外径が後ろより前に漸次縮減され、接合部５１の前端にあって内径がニードルホルダ３０のフランジ３０３より小さい盲孔５１０が形成され、該盲孔５１０中に、前向きに突出する突起５２０が形成される。図８に示されるように、プランジャー４の前端４１がホルダ支持シート２４から所定の距離の位置に接近する時、接合部５１に形成された盲孔５１０の端部がニードルホルダ３０のフランジ３０３に嵌合し、突起５２０がニードルホルダ３０の後端の開孔３００を封じ、外筒２内の注射液が続けて押し出されるのを防止し、プランジャー４が続けてホルダ支持シート２４を押して前進させる。ニードルホルダ３０の前段３０１が外筒２の前端開口２１０内壁面に突き当たって前進不能となると、ホルダ支持シート２４がニードルホルダ３０上で前進し、ホルダ支持シート２４に形成された貫通孔２４０がニードルホルダ３０のホルダ本体３０２を係止する位置より離脱してニードルホルダ３０の前段３０１部分に至り、ニードルホルダ３０とホルダ支持シート２４間の結合がこれにより解除される。
【００２０】
図９に示されるように、ニードルホルダ３０の前段３０１が外筒２の前端２１に形成された前端開口２１０の内壁面の係止を受ける時、プランジャー４が後方より推力を受けても、ニードルホルダ３０がシール手段５を阻止してシール手段５をプランジャー４に従って前進させないため、シール手段５とプランジャー４の結合が解除され、プランジャー４の筒体４０内の低圧状態がこれにより釈放され、碗状の気密部５３の助けにより、空気が簡単にはプラグ部５２とプランジャー４間の隙間よりプランジャー４の筒体４０に流入せず、ゆえにプランジャー４の筒体４０内の負圧の吸引作用により、図１０に示されるように、すでに結合して一体とされたニードルユニット３とシール手段５が迅速に内縮し、並びにプランジャー４の筒体４０内に収容され、こうして操作者がニードル３１による刺し傷と感染を受ける危険を減らす。
【実施例２】
【００２１】
当然、ホルダ支持シート、シール手段及びニードルホルダの対応する構造、シール手段のプランジャー内への組み付けの方式は上述の実施例に限られるものではなく、例えば図１１に示される本発明の第２実施例がある。図１１中、同じ部品は相似の符号を以て表示し、説明を省略する。フレキシブルなホルダ支持シート２４’は、外径が外筒２内径より大きい前縁２４１’と、前後方向に貫通孔２４０’が形成されたベース部２４２’とを具え、該ホルダ支持シート２４’が外筒２の筒体２０内に挿入されて、ホルダ支持シート２４’の前縁２４１’が外筒２の筒体２０’前端に当接させられ、ホルダ支持シート２４’のベース部２４２’が前縁２４１’により、外筒２’前端との距離を保持する。
【００２２】
本実施例では、低圧環境下で、フレキシブルなシール手段５’がプランジャー４’の前端の穿孔４１０’より強制的に挿入され、プランジャー４’の筒体４０’にあって前端の穿孔４１０’に接近する位置に径方向の収斂環４４’が形成され、シール手段５’のプラグ部５２’の後方に外径が徐々に収斂する碗状の導入部５３’が形成され、シール手段５’がプランジャー４’の筒体４０’に進入しやすくされ、且つ径方向の収斂環４４’が構成する径方向の収斂部に係止され、プランジャー４’の前端穿孔４１０’を封じ、これによりプランジャー４’の筒体４０’内を低圧状態に保持する。シール手段５’の接合部５１’はプラグ部５２’中に埋設された支持部５１１’と、支持部５１１’前端より延伸されてプラグ部５２’の前方に突出する係止部５１０’とを具えている。ニードルホルダ３０’のホルダ本体３０２’内に形成される開孔３００’の内壁に、該係止部５１０’に対応する係合部３０４’が設けられ、図１２に示されるように、プランジャー４’が外筒２’前端に所定の距離まで接近する時、シール手段５’の接合部５１’の係止部５１０’がニードルホルダ３０’の開孔３００’に進入して係合部３０４’と係合し、図１３に示されるように、続けてプランジャー４’が前に押されることで、ホルダ支持シート２４’の前縁２４１’が押圧されてベース部２４２’がニードルホルダ３０’に関して前進し、ホルダ本体３０２’に対する係止を解除する。ニードルホルダ３０’からの反作用力も強制的にシール手段５’をプランジャー４’内で後退させて径方向の収斂部４４’の係止より離脱させ、図１４に示されるように、プランジャー４’内の低圧が釈放されて、結合され一体とされたニードルユニット３’とシール手段５’がプランジャー４’の筒体４０’中に吸入される。
【００２３】
総合すると、本発明の安全注射器は、簡単な部品の組合せにより、安全注射器の製造コストを減らし、並びに使用者の安全性を保障し、ゆえに確実にその目的を達成している。
【００２４】
以上の実施例は本発明の実施範囲を限定するものではなく、本発明に基づきなしうる細部の修飾或いは改変は、いずれも本発明の請求範囲に属するものとする。
【図面の簡単な説明】
【００２５】
【図１】周知の注射器の斜視図である。
【図２】周知の安全注射器の断面図である。
【図３】図２の安全注射器の使用過程表示図であり、シール手段とニードルユニットの結合関係を示している。
【図４】本発明の第１実施例の分解斜視図である。
【図５】図４の実施例の部分拡大図であり、外筒とニードルユニットの結合関係を示している。
【図６】図４の実施例の部分拡大図であり、プランジャーとシール手段の結合関係を示している。
【図７】図４の実施例の動作表示組合せ断面図である。
【図８】図４の実施例の動作表示組合せ断面図である。
【図９】図４の実施例の動作表示組合せ断面図である。
【図１０】図４の実施例の動作表示組合せ断面図である。
【図１１】本発明の第２実施例の動作表示組合せ断面図である。
【図１２】本発明の第２実施例の動作表示組合せ断面図である。
【図１３】本発明の第２実施例の動作表示組合せ断面図である。
【図１４】本発明の第２実施例の動作表示組合せ断面図である。
【符号の説明】
【００２６】
１、７、８  注射器                        ８６  バネ
２、２’、７２、８２  外筒                ２１０、２２０、７２０、７２４  開口
３、７３、８３  ニードルユニット          ２４０  貫通孔
４、４’、８４  プランジャー              ２４１  斜面
５、５’  シール手段                      ２４１’  前縁
２０、２０’、４０、４０’  筒体          ２４２’  ベース部
２１、４１  前端                          ３００、３００’  開孔
２２、４２  後端                          ３０１  前段
２４、２４’  ホルダ支持シート            ３０２、３０２’  本体
３０、３０’、７３０  ニードルホルダ      ３０３  フランジ
３１、７３１  ニードル                    ３０４’  係合部
４４  収斂部                              ４５１  頸部
４４’  収斂環                            ４５２  基板
４５  キャップ                            ５１０  盲孔
５１、５１’  接合部                      ５１０’  係止部
５２、５２’  プラグ部                    ５１１’  支持部
５３  気密部                              ５２０  突起
５３’  導入部                            ７４３  ストッパ
７４  プランジャー                        ８５０  環状リブ
８５  シール
【図１】
2004188199.tif 000003
【図２】
2004188199.tif 000004
【図３】
2004188199.tif 000005
【図４】
2004188199.tif 000006
【図５】
2004188199.tif 000007
【図６】
2004188199.tif 000008
【図７】
2004188199.tif 000009
【図８】
2004188199.tif 000010
【図９】
2004188199.tif 000011
【図１０】
2004188199.tif 000012
【図１１】
2004188199.tif 000013
【図１２】
2004188199.tif 000014
【図１３】
2004188199.tif 000015
【図１４】
2004188199.tif 000016